(57)【特許請求の範囲】
【請求項１】
座板を有し、その座板の片面に連結軸が設けられ、その連結軸に環状溝が形成された座付きロープ環と、前記環状溝内に回転自在に嵌合される内向きフランジおよび外向きフランジを開口端に有し、ロープに接続される接続部品の基板部にリベット止めされる連結片部が閉塞端部に設けられ、前記内向きフランジを前記環状溝に嵌合する組み合せ状態で筒体を形成し、かつ、連結片部が二股片を形成する一対の半割筒体と、前記一対の半割筒体が筒体を形成する組み合わせ状態で、その筒体の外側に嵌合されて、一対の半割筒体を筒状の組み合わせ状態に保持する保持リングとからなり、前記一対の半割筒体が筒体を形成する組み合わせ状態で、前記連結片部により形成される二股片間に帯板状のキー部材を装着し、そのキー部材の両端部に設けられた折曲げ片を前記保持リングの一方の端部の対向位置に形成された一対の切欠部に係合して保持リングを回り止めしたスイベル。
【請求項２】
座板を有し、その座板の片面に連結軸が設けられ、その連結軸に環状溝が形成された座付きロープ環と、前記環状溝内に回転自在に嵌合される内向きフランジおよび外向きフランジを開口端に有し、ロープに接続される接続部品の基板部にリベット止めされる連結片部が閉塞端部に設けられ、前記内向きフランジを前記環状溝に嵌合する組み合せ状態で筒体を形成し、かつ、連結片部が二股片を形成する一対の半割筒体と、前記一対の半割筒体が筒体を形成する組み合わせ状態で、その筒体の外側に嵌合されて、一対の半割筒体を筒状の組み合わせ状態に保持する保持リングとからなり、前記保持リングの一方の端部に径方向に延びる帯板状のキー部材を設け、そのキー部材を前記連結片部により形成される二股片間に嵌合して保持リングを回り止めしたスイベル。
【請求項３】
前記一対の半割筒体のそれぞれが、前記連結片部側の端部を小径端とするテーパ状とされ、前記保持リングがその半割筒体のテーパに適合するテーパ状とされた請求項１又は２に記載のスイベル。
【請求項４】
前記一対の半割筒体の互いに衝合される衝合面のそれぞれにピンと、他方の半割筒体に設けられたピンが嵌合されるピン孔とを設けた請求項１乃至３のいずれか１項に記載のスイベル。
【発明の詳細な説明】
【技術分野】
【０００１】
この発明は、ロープ類の撚りを戻す際に使用されるスイベルに関する。
【背景技術】
【０００２】
高所作業用の安全帯においては、胴ベルトに設けられたＤ環と称される環体にロープが接続され、そのロープの先端部に接続された安全フックを構築物に係合して安全性を確保することが行われている。
【０００３】
ここで、ロープには撚りが掛けられているため、安全フックにロープが直接接続されていると、ロープに捩じり部が生じて障害物に引っ掛かり、移動や作業を阻害する場合がある。
【０００４】
そのような不都合を解消するため、安全フックにスイベルを接続し、そのスイベルにロープを接続して、上記スイベルによりロープの撚り戻しを行なって捩じり部を取り除くようにしている。
【０００５】
安全帯用フックに採用されるスイベルとして、特許文献１に記載されたものが従来から知られている。このスイベルは、ねじ軸を有するロープ環と、そのロープ環のねじ軸にねじ係合されるナットを有し、安全フックにおけるフック本体の後端部には、ナット収納空間と、後端面からそのナット収納空間内に貫通する挿入孔を設け、上記挿入孔にロープ環のねじ軸を挿入して、ナット収納空間内に収容されたナットにねじ係合し、そのナットとねじ軸に半径方向に貫通するピン孔を設け、そのピン孔に挿入した連結ピンの端部の加締めにより、ナットを回り止めして、ロープ環を回転自在の取付けとし、そのロープ環の回転によってロープの撚り戻しとしている。
【０００６】
ここで、特許文献１には、ナットを１枚とする場合と、２枚のナットを用いる場合とが記載されており、２枚のナットを用いる場合には、その２枚のナットの衝合面間に径方向に向くピン孔を設けるようにしている。
【先行技術文献】
【特許文献】
【０００７】
【特許文献１】実開平５−４５２２０号公報
【発明の概要】
【発明が解決しようとする課題】
【０００８】
ところで、上記従来のスイベルにおいては、ロープ環にねじ軸を設ける場合に、ダイスを用いてねじ切り加工する必要があり、また、ナットやねじ軸に孔明け加工を施してピン孔を設ける必要があり、加工に手間がかかるばかりでなく、ナット収納空間内に組み込まれたナットにねじ軸をねじ係合してロープ環をねじ込む必要があるため、組立てに非常に手間がかかるという不都合がある。
【０００９】
この発明の課題は、ねじ切り加工を不要とした組立ての容易なスイベルを提供することである。
【課題を解決するための手段】
【００１０】
上記の課題を解決するために、この発明においては、座板を有し、その座板の片面に連結軸が設けられ、その連結軸に環状溝が形成された座付きロープ環と、前記環状溝内に回転自在に嵌合される内向きフランジおよび外向きフランジを開口端に有し、ロープに接続される接続部品の基板部にリベット止めされる連結片部が閉塞端部に設けられ、前記内向きフランジを前記環状溝に嵌合する組み合せ状態で筒体を形成し、かつ、連結片部が二股片を形成する一対の半割筒体と、前記一対の半割筒体が筒体を形成する組み合わせ状態で、その筒体の外側に嵌合されて、一対の半割筒体を筒状の組み合わせ状態に保持する保持リングとからなる構成を採用したのである。
【００１１】
上記の構成からなるスイベルにおいて、座付きロープ環に設けられた連結軸の両側に一対の半割筒体を配置し、その一対の半割筒体で連結軸を両側から挟持する組合せとして、内向きフランジを環状溝に嵌合し、一対の半割筒体が筒体を形成する組み合わせ状態で、その外側に保持リングを嵌合することにより、スイベルの組み立てとすることができる。そして、その組立て状態で、連結片部により形成される二股片間に安全フック等のロープ接続部材に設けられた基板部を嵌合し、二股片および基板部を貫通するリベットの端部を加締めることによって、組立て状態を保持し、同時に組付けとすることができる。
【００１２】
ここで、一対の半割筒体が筒体を形成する組み合わせ状態で、連結片部により形成される二股片間に帯板状のキー部材を装着し、そのキー部材の両端部に設けられた折曲げ片を保持リングの一方の端部の対向位置に形成された一対の切欠部に係合することにより、保持リングを回り止めし、同時に、軸方向への移動を防止することができ、ガタツキの小さなスイベルを得ることができる。
【００１３】
また、保持リングの一方の端部に径方向に延びる帯板状のキー部材を設け、そのキー部材を前記連結片部により形成される二股片間に嵌合することにより、保持リングを回り止めし、同時に、軸方向への移動を防止することができることになり、上記と同様に、ガタツキの小さなスイベルを得ることができると共に、部品点数の低減と組立ての容易化を図ることができる。
【００１４】
さらに、一対の半割筒体のそれぞれを、連結片部側の端部を小径端とするテーパ状とし、保持リングをその半割筒体のテーパに適合するテーパ状とすると、保持リングの嵌合を容易とし、スイベルの軽量化を図ることができる。
【００１５】
また、一対の半割筒体の互いに衝合される衝合面のそれぞれにピンと、他方の半割筒体に設けられたピンが嵌合されるピン孔とを設けておくことにより、一対の半割筒体を筒体に組み合わせることにより、ピン孔内にピンが挿入して係合状態とされるため、一対の半割筒体が相対的に軸方向にずれ動くのを防止することができ、半割筒体の連結片部に形成されるリベット挿入孔の芯ずれを防止し、リベットの挿入を容易とすることができる。
【発明の効果】
【００１６】
この発明においては、上記のように、一対の半割筒体が座付きロープ環に設けられた連結軸を両側から挟持する組合せとし、その一対の半割筒体のそれぞれに設けられた内向きフランジが環状溝に嵌合して、一対の半割筒体が筒体を形成する組合せ状態で、その筒体の外側に保持リングを嵌合することによりスイベルを組み立てとすることができ、その組立てがねじ込みによる組立てではなく、嵌合による組立てであるため、スイベルを極めて容易に組立てることができる。
【図面の簡単な説明】
【００１７】
【図１】この発明に係るスイベルが取付けられた安全フックの正面図
【図２】図１のスイベルを示す一部切欠正面図
【図３】図２のIII−III線に沿った断面図
【図４】図２に示すスイベルの斜視図
【図５】図２に示すスイベルの分解斜視図
【図６】保持リングの他の例を示す斜視図
【図７】この発明に係るスイベルの取付けの他の例を示す正面図
【図８】この発明に係るスイベルの他の例を示す斜視図
【図９】図８に示すスイベルの縦断面図
【図１０】半割筒体の他の例を示す分解斜視図
【発明を実施するための形態】
【００１８】
以下、この発明の実施の形態を図面に基づいて説明する。図１は、ロープに接続される接続部品としての安全フックを示す。この安全フック１は、フック本体２と、そのフック本体２の鈎部２ａの開口を内側から開閉する片開カバー３と、その片開カバー３を閉鎖状態に保持する補助カバー４とを有している。
【００１９】
片開カバー３は、フック本体２の基板部２ｂに支持されたピン５を中心にして揺動自在に支持され、図示省略した弾性部材によりフック本体２の鈎部２ａの開口を閉じる方向に付勢されている。
【００２０】
一方、補助カバー４は、フック本体２に支持されたピン６により長さ方向の中央部が支持されて、そのピン６を中心に揺動可能とされ、図示省略された弾性部材により後端部がフック本体２の外側面に重なる方向に向けて付勢されて、片開カバー３が開放方向に揺動するのを防止している。また、補助カバー４の先端部をフック本体２側に押し込む操作により、補助カバー４がピン６を中心に揺動して片開カバー３のロックを解除し、片開カバー３の開閉を自由とする。
【００２１】
図５に示すように、フック本体２の基板部２ｂにおける外周の一辺には切欠部７が形成されている。また、基板部２ｂにはピン孔８が設けられている。図２および図３に示すように、ピン孔８内にはカラー８ａが嵌合され、そのカラー８ａ内に挿入されるリベット９により、この発明に係るスイベル１０が基板部２ｂに取付けられている。
【００２２】
図２乃至図５に示すように、スイベル１０は、座付きロープ環１１と、そのロープ環１１に回転自在に連結される一対の半割筒体２１と、その一対の半割筒体２１をロープ環１１に対して連結状態に保持する保持リング３１とを有している。
【００２３】
座付きロープ環１１に設けられた座板１２の端面中央部には連結軸１３が設けられている。連結軸１３には、座板１２に対する付け根部に、その座板１２の端面に沿うようにして環状溝１４が設けられている。
【００２４】
一対の半割筒体２１は、一端が開口し、他端が閉塞する円筒体をその軸心を含む平面に沿って左右に２分割した形状をなし、その一端の開口端に内向きフランジ２２と外向きフランジ２３が設けられ、上記内向きフランジ２２が連結軸１３に設けられた上記環状溝１４に対して嵌合可能とされ、その嵌合によって一対の半割筒体２１は筒体を形成する組合せ状態とされると共に、連結軸１３に対して回転可能な支持とされ、かつ、軸方向に非可動の支持とされる。
【００２５】
また、一対の半割筒体２１の閉塞端には連結片部２４ａが設けられている。連結片部２４ａは一対の半割筒体２１が筒体を形成する組み合わせた状態で二股片２４を形成し、その二股片２４間にフック本体２の基板部２ｂが挿入可能とされている。
【００２６】
連結片部２４ａには、リベット挿入孔２５が設けられ、そのリベット挿入孔２５に対してリベット９が挿入可能とされている。
【００２７】
保持リング３１は、一対の半割筒体２１が筒体を形成する組み合わせ状態で、その筒体の外側に嵌合可能とされており、その嵌合によって一対の半割筒体２１は筒状の組み合わせ状態に保持されると共に、内向きフランジ２２が連結軸１３の環状溝１４に嵌合する状態に保持される。
【００２８】
保持リング３１は、基板部２ｂにスイベル１０を取付けた状態において、外向きフランジ２３と基板部２ｂの切欠部７の底面間にほぼぴったりと納まる軸方向長さとされ、上記切欠部７の底面と対向する一端には一対の切欠部３２が対向位置に設けられている。
【００２９】
一対の半割筒体２１の閉塞端部には、連結片部２４ａにより形成される二股片２４間にキー溝２６が設けられ、そのキー溝２６に対して帯状板からなるキー部材２７が嵌合可能とされている。キー部材２７は、折曲げ片２８を両端に有し、その折曲げ片２８は保持リング３１に形成された一対の切欠部３２に対して係合可能とされている。
【００３０】
実施の形態で示すスイベル１０は上記の構造からなり、そのスイベル１０の組立てに際しては、座付きロープ環１１に設けられた連結軸１３の両側に一対の半割筒体２１を配置し、その一対の半割筒体２１が連結軸１３を両側から挟持して筒体を形成する組合せとする。
【００３１】
この場合、一対の半割筒体２１は、内向きフランジ２２が連結軸１３の環状溝１４と対向する配置として、その一対の半割筒体２１が筒体を形成する組合せとすることにより、内向きフランジ２２が環状溝１４に嵌合して、一対の半割筒体２１が筒体を形成することになる。そこで、その一対の半割筒体２１で形成される筒体の外側に保持リング３１を嵌合し、連結片部２４ａで形成される二股片２４間からキー溝２６内にキー部材２７を嵌合して、折曲げ片２８を保持リング３１の切欠部３２に嵌合することにより、スイベル１０の組立てが完了する。
【００３２】
このように、一対の半割筒体２１が座付きロープ環１１に設けられた連結軸１３を両側から挟持して筒体を形成する組合せとすることにより、内向きフランジ２２が環状溝１４に嵌合して、一対の半割筒体２１が筒体を形成し、その筒体の外側に保持リング３１を嵌合することによってスイベル１０を組み立てとすることができるため、スイベル１０を極めて容易に組立てることができる。
【００３３】
スイベル１０の組立て状態で、一対の半割筒体２１は、その外側に嵌合された保持リング３１により内向きフランジ２２が環状溝１４に嵌合する状態に保持されるため、一対の半割筒体２１で形成される筒体と座付きロープ環１１は相対的に回転可能な連結状態とされる。
【００３４】
また、二股片２４間に組み込まれたキー部材２７の両端の折曲げ片２８は保持リング３１に形成された切欠部３２に係合するため、保持リング３１は回り止めされて回転方向にガタツクのが防止される。
【００３５】
上記のようにして組み立てられたスイベル１０の二股片２４間にフック本体２の基板部２ｂを嵌合し、連結片部２４ａに形成されたリベット挿入孔２５とピン孔８内に嵌合されたカラー８ａの中心孔とを位置合わせし、そのリベット挿入孔２５にリベット９を挿入して端部を加締めることにより、スイベル１０の取付けとすることができる。
【００３６】
その取付け状態において、座付きロープ環１１はリベット止めされた一対の半割筒体２１に対して回転自在であるため、その座付きロープ環１１の回転により上記ロープ環１１に接続されるロープの撚り戻しを行なうことができる。
【００３７】
また、スイベル１０の取付けにおいて、保持リング３１は座付きロープ環１１の外向きフランジ２３と基板部２ｂの切欠部７の底面間に納まる状態とされるため、保持リング３１は軸方向にガタツクこともなく、安定した取付けとすることができる。
【００３８】
図５では、保持リング３１とキー部材２７とを別部品としたが、図６に示すように保持リング３１の一方の端部に径方向に延びるキー部材３３を設けるようにしてもよい。この場合、図５に示すキー部材２７を不要とすることができるため、部品点数の低減し、スイベル１０をより簡単に組み立てることができる。
【００３９】
図７に示すように、フック本体２の基板部２ｂの外周一部に相反する方向に傾斜する一対の傾斜面２ｃを設け、その一対の傾斜面２ｃの交差部にリベット９を中心とする円弧面２ｄを設けておくと、一対の傾斜面２ｃに当接する範囲内においてスイベル１０を揺動自在の取付けとすることができる。
【００４０】
図８および図９に示すように、一対の半割筒体２１のそれぞれを、連結片部２４ａ側の端部を小径端とするテーパ状とし、保持リング３１をその半割筒体２１のテーパに適合するテーパ状とすると、保持リング３１の嵌合を容易とし、スイベル１０の軽量化を図ることができる。
【００４１】
図１０に示すように、一対の半割筒体２１の互いに衝合される衝合面のそれぞれにピン２９ａと、他方の半割筒体２１に設けられたピン２９ａが嵌合されるピン孔２９ｂとを設けると、一対の半割筒体２１を筒体に組み合わせることにより、ピン孔２９ｂ内にピン２９ａが挿入して係合状態となるため、一対の半割筒体２１が相対的に軸方向にずれ動くのを防止することができる。このため、半割筒体２１の連結片部２４ａに形成されるリベット挿入孔２５の心ずれを防止し、リベット９の挿入を容易とし、スイベル１０を簡単に取付けることができる。
【符号の説明】
【００４２】
１１  座付きロープ環
１２  座板
１３  連結軸
１４  環状溝
２１  半割筒体
２２  内向きフランジ
２３  外向きフランジ
２４  二股片
２４ａ  連結片部
２７  キー部材
２８  折曲げ片
２９ａ  ピン
２９ｂ  ピン孔
３１  保持リング
３２  切欠部
３３  キー部材
【図１】
0005889724.tif 000002
【図２】
0005889724.tif 000003
【図３】
0005889724.tif 000004
【図４】
0005889724.tif 000005
【図５】
0005889724.tif 000006
【図６】
0005889724.tif 000007
【図７】
0005889724.tif 000008
【図８】
0005889724.tif 000009
【図９】
0005889724.tif 000010
【図１０】
0005889724.tif 000011